(57)【要約】【課題】着信端末を呼出中に発信端末から出力されるコンテンツを発信者が操作できるようにすることを目的とする。【解決手段】呼出音制御システム１は、着信端末３を呼出中であることを示す音声データを発信端末２に送出する送出部１２と、音声データに対する操作の内容と、該操作を指示するための指示信号とが関連付けられた操作情報を記憶する操作情報記憶部１３と、送出された音声データを出力中の発信端末２から指示信号を受信する受信部１４と、受信された指示信号に対応する操作情報を操作情報記憶部１３から読み出し、読み出した操作情報に基づいて、送出部１２により送出されたコンテンツデータに対する操作を実行する操作部１５と、を備える。【選択図】図１
2009290327.tif 000002
【特許請求の範囲】
【請求項１】
着信端末を呼出中であることを示すコンテンツデータを発信端末に送出する送出手段と、
前記コンテンツデータに対する操作の内容と、該操作を指示するための指示信号とが関連付けられた操作情報を記憶する操作情報記憶手段と、
前記送出手段により送出されたコンテンツデータを出力中の前記発信端末から前記指示信号を受信する受信手段と、
前記受信手段により受信された指示信号に対応する操作情報を前記操作情報記憶手段から読み出し、読み出した操作情報に基づいて、前記送出手段により送出されたコンテンツデータに対する操作を実行する操作手段と、
を備える呼出コンテンツ制御システム。
【請求項２】
前記コンテンツデータが音声データを含む、
請求項１に記載の呼出コンテンツ制御システム。
【請求項３】
前記コンテンツデータに対する操作が、前記発信端末で出力中のコンテンツデータの変更、該コンテンツデータの再生位置の変更、該コンテンツデータの再生速度の変更、及び該コンテンツデータの停止のうち少なくとも一つを含む、
請求項１又は２に記載の呼出コンテンツ制御システム。
【請求項４】
前記コンテンツデータと、該コンテンツデータを設定した通信端末を識別する端末識別情報と、前記操作手段により実行された操作の内容とが関連付けられた操作履歴情報を記憶する操作履歴記憶手段と、
前記操作履歴記憶手段に記憶された操作履歴情報を集計して出力する集計手段と、
を更に備える請求項１〜３のいずれか一項に記載の呼出コンテンツ制御システム。
【請求項５】
着信端末を呼出中であることを示すコンテンツデータに対する操作の内容と、該操作を指示するための指示信号とが関連付けられた操作情報を記憶する操作情報記憶手段を備える呼出コンテンツ制御システム、における呼出コンテンツ制御方法であって、
前記コンテンツデータを発信端末に送出する送出ステップと、
前記送出ステップにおいて送出されたコンテンツデータを出力中の前記発信端末から前記指示信号を受信する受信ステップと、
前記受信ステップにおいて受信された指示信号に対応する操作情報を前記操作情報記憶手段から読み出し、読み出した操作情報に基づいて、前記送出ステップにおいて送出されたコンテンツデータに対する操作を実行する操作ステップと、
を含むことを特徴とする呼出コンテンツ制御方法。
【発明の詳細な説明】
【技術分野】
【０００１】
本発明は、着信端末を呼出中であることを示すコンテンツデータを制御する呼出コンテンツ制御システム及び呼出コンテンツ制御方法に関する。
【背景技術】
【０００２】
従来から、発信端末で出力される呼出音に好みの音楽や音声を設定できる呼出コンテンツ制御システムが知られている。例えば、下記特許文献１には、着信側のユーザにより設定された音楽を出力する呼出音管理システムが記載されている。この呼出音管理システムは、発信端末から受信した着信者番号に関連付けられているリングバックトーン（ringback tone；ＲＢＴ）データをデータベースから読み出して発信端末に送信する。
【特許文献１】特開２００３−２７４０１６号公報
【発明の開示】
【発明が解決しようとする課題】
【０００３】
しかしながら、上記特許文献１に記載のシステムでは、発信者は流れてくる呼出音を受動的に聞くことしかできない。そのため、発信端末から出力される呼出音などのコンテンツを発信者が自由に操作できる仕組みが求められている。
【０００４】
本発明は、上記課題を解決するためになされたものであり、発信端末から出力されるコンテンツを発信者が操作することが可能な呼出コンテンツ制御システム及び呼出コンテンツ制御方法を提供することを目的とする。
【課題を解決するための手段】
【０００５】
本発明の呼出コンテンツ制御システムは、着信端末を呼出中であることを示すコンテンツデータを発信端末に送出する送出手段と、コンテンツデータに対する操作の内容と、該操作を指示するための指示信号とが関連付けられた操作情報を記憶する操作情報記憶手段と、送出手段により送出されたコンテンツデータを出力中の発信端末から指示信号を受信する受信手段と、受信手段により受信された指示信号に対応する操作情報を操作情報記憶手段から読み出し、読み出した操作情報に基づいて、送出手段により送出されたコンテンツデータに対する操作を実行する操作手段と、を備える。
【０００６】
また、本発明の呼出コンテンツ制御方法は、着信端末を呼出中であることを示すコンテンツデータに対する操作の内容と、該操作を指示するための指示信号とが関連付けられた操作情報を記憶する操作情報記憶手段を備える呼出コンテンツ制御システム、における呼出コンテンツ制御方法であって、コンテンツデータを発信端末に送出する送出ステップと、送出ステップにおいて送出されたコンテンツデータを出力中の発信端末から指示信号を受信する受信ステップと、受信ステップにおいて受信された指示信号に対応する操作情報を操作情報記憶手段から読み出し、読み出した操作情報に基づいて、送出ステップにおいて送出されたコンテンツデータに対する操作を実行する操作ステップと、を含むことを特徴とする。
【０００７】
このような呼出コンテンツ制御システム及び呼出コンテンツ制御方法によれば、コンテンツデータに対する操作の内容が予め記憶されており、コンテンツデータを出力中の発信端末から受信した指示信号に基づいて、再生中のコンテンツデータに対する所定の操作が実行される。これにより、発信者は、着信端末を呼出中に発信端末から出力されているコンテンツを操作できる。
【０００８】
本発明の呼出コンテンツ制御システムでは、コンテンツデータが音声データを含むことが好ましい。
【０００９】
本発明の呼出コンテンツ制御システムでは、コンテンツデータに対する操作が、発信端末で出力中のコンテンツデータの変更、該コンテンツデータの再生位置の変更、該コンテンツデータの再生速度の変更、及び該コンテンツデータの停止のうち少なくとも一つを含むことが好ましい。
【００１０】
この場合、発信者は特に、コンテンツのスキップや早送り、巻戻し、スロー再生、停止などの操作を行うことが可能である。
【００１１】
本発明の呼出コンテンツ制御システムでは、コンテンツデータと、該コンテンツデータを設定した通信端末を識別する端末識別情報と、操作手段により実行された操作の内容とが関連付けられた操作履歴情報を記憶する操作履歴記憶手段と、操作履歴記憶手段に記憶された操作履歴情報を集計して出力する出力手段とを更に備えることが好ましい。
【００１２】
この場合、コンテンツデータに対する操作の履歴が操作履歴情報として記憶され、その操作履歴情報に基づく集計及び集計結果の出力が行われるので、発信端末においてどのようにコンテンツデータが操作されたかを把握できる。
【発明の効果】
【００１３】
このような呼出コンテンツ制御システム及び呼出コンテンツ制御方法によれば、コンテンツが出力されている発信端末から受信した指示信号に基づいてそのコンテンツに対する操作が実行されるので、発信者は、着信端末を呼出中に発信端末から出力されているコンテンツを操作できる。
【発明を実施するための最良の形態】
【００１４】
以下、添付図面を参照しながら本発明の実施形態を詳細に説明する。本実施形態では、本発明に係る呼出コンテンツ制御システムを呼出音制御システムに適用する。なお、図面の説明において同一又は同等の要素には同一の符号を付し、重複する説明を省略する。
【００１５】
まず、図１〜５を用いて、実施形態に係る呼出音制御システムの構成を説明する。図１は呼出音制御システムの機能構成を示す図である。図２は再生サーバのハードウェア構成を示す図である。図３は音源情報の例を示す図である。図４は操作情報の例を示す図である。図５は操作履歴の集計例を示す図である。
【００１６】
呼出音制御システム１は、発信端末２、着信端末３、発側交換機４、着側交換機５、加入者情報サーバ６及び再生サーバ１０を備えている。発信端末２及び着信端末３の種類は限定されず、例えば携帯電話機や固定電話機、パーソナルコンピュータなどの様々な装置を通信端末としてよい。発側交換機４及び着側交換機５は、発信端末２と着信端末３との間の電話回線を接続する通信装置である。加入者情報サーバ６は、電話回線の接続などに用いる加入者情報を記憶するコンピュータである。加入者情報は、その識別子として用いられる電話番号と、電話回線の接続に用いられるルーティング情報と、後述する音源識別番号とを含んで構成されている。
【００１７】
再生サーバ１０は、発信端末２が着信端末３を呼び出した際に、着信端末３のユーザが設定した呼出音（コンテンツデータ）を発信端末２に送出するコンピュータである。再生サーバ１０は、機能的構成要素として、音源情報記憶部１１、送出部（送出手段）１２、操作情報記憶部（操作情報記憶手段）１３、受信部（受信手段）１４、操作部（操作手段）１５、操作履歴記憶部（操作履歴記憶手段）１６及び集計部（集計手段）１７を備えている。
【００１８】
再生サーバ１０は、図２に示すように、オペレーティングシステムやアプリケーションプログラムなどを実行するＣＰＵ１０１と、ＲＯＭ及びＲＡＭで構成される主記憶部１０２と、ハードディスクなどで構成される補助記憶部１０３と、ネットワークカードなどの通信制御部１０４と、キーボードやマウスなどの入力部１０５と、モニタやプリンタなどの出力部１０６とで構成される。図１に示される各機能は、図２に示すＣＰＵ１０１や主記憶部１０２の上に所定のソフトウェアを読み込ませ、ＣＰＵ１０１の制御の下で通信制御部１０４を動作させるとともに、主記憶部１０２や補助記憶部１０３におけるデータの読み出し及び書き込みを行うことで実現される。
【００１９】
音源情報記憶部１１は、音源識別番号と、着信者番号と、音声データ（呼出音）とが関連付けられた音源情報を記憶する手段である。音源情報は、通信端末のユーザにより登録される。ここで、呼出音とは、着信端末３を呼出中であることを発信者に伝えるために発信端末２から出力される音であり、ユーザは、通常のベル音だけでなく音楽や音声、環境音など様々な種類の音を呼出音として登録できる。
【００２０】
音源情報記憶部１１は、例えば図３に示すような音源情報を記憶する。音源識別番号「０００２」で特定される音源情報のように、一つの着信者番号に対して複数の音声データが対応付けられていてもよい。なお、音源情報の構成は図３に示すものに限定されず、例えば音源識別番号と、着信者番号と、発信者番号と、音声データとが関連付けられた音源情報や、着信者番号を識別子とする音源情報などを用いてもよい。
【００２１】
送出部１２は、発信端末２に呼出音を送出する手段である。送出部１２は着側交換機５から接続要求を受信すると、その接続要求に含まれている音源識別番号を抽出する。続いて、送出部１２は音源識別番号に対応する音源情報を音源情報記憶部１１から読み出し、着側交換機５に対して接続応答を送信することで着側交換機５との間にパスを設定する。続いて、送出部１２は読み出した音源情報に含まれる音声データを再生することで呼出音を発信端末２に送出する。この時点で、発信端末２と着信端末３との間には発側交換機４及び着側交換機５を経由するパスが設定されているので、送出部１２から出力された呼出音は着側交換機５及び発側交換機４を経由して発信端末２に到達し出力される。
【００２２】
また、送出部１２は、後述する操作部１５から入力された制御信号に基づいて呼出音の送出に関係する制御を実行する。送出部１２は着側交換機５から切断要求を受信するまで呼出音の再生を継続する。
【００２３】
操作情報記憶部１３は、発信音に対する操作の内容と、その操作を指示するための指示信号とが関連付けられた操作情報を記憶する手段である。操作情報記憶部１３は、例えば図４に示すように、指示信号を識別する信号ＩＤと、操作名と、操作内容とが関連付けられた操作情報を記憶する。図４では操作情報の構成要素として操作名を含んでいるが、操作名を省略してもよいし、操作内容及び操作名を一つの項目として記憶してもよい。呼出音に対する操作は、発信端末２における出力に直接影響するものに限定されず、例えば呼出音に関する情報（曲名やアーティスト名など）の取得など、呼出音の出力に影響しない操作であってもよい。
【００２４】
受信部１４は、送出部１２により送出された呼出音を出力中の発信端末２から指示信号を受信する手段である。呼出音を出力中の発信端末２において特定のキーが押下されると、そのキーに対応する信号ＩＤがパスを介して伝送され、受信部１４により受信される。なお、発信端末２のどのキーにどの指示信号（信号ＩＤ）を割り当てるかは任意である。受信部１４は、受信した信号ＩＤを操作部１５に出力する。
【００２５】
操作部１５は、受信部１４により受信された指示信号（信号ＩＤ）に対応する操作情報を操作情報記憶部１３から読み出し、読み出した操作情報に基づいて、送出部１２により送出された呼出音に対する操作を実行する手段である。
【００２６】
例えば、操作情報が図４で示されるものであるときに受信部１４から信号ＩＤ「２」が入力されると、操作部１５は再生中の呼出音を巻き戻すための制御信号を送出部１２に出力する。これを受けて、送出部１２は再生中の呼出音を巻き戻す。また、音源識別番号が「０００２」であり、送出部１２が音声データ「Ｓｏｕｎｄ０２.ｄａｔ」を再生しているときに信号ＩＤ「１」が入力されると、操作部１５は再生中の呼出音を停止して次の呼出音を再生するための制御信号を送出部１２に出力する。これを受けて、送出部１２は音声データ「Ｓｏｕｎｄ０２．ｄａｔ」の再生を停止して次の音声データ「Ｓｏｕｎｄ０３．ｄａｔ」を再生する。
【００２７】
また、操作部１５は、着信者番号と、送出部１２で再生している音声データの音源識別番号と、その音声データに対して実行された操作とが関連付けられた操作履歴情報を生成して操作履歴記憶部１６に出力する。
【００２８】
操作履歴記憶部１６は、操作部１５から入力された操作履歴情報を記憶する手段である。
【００２９】
集計部１７は、操作履歴記憶部１６に記憶されている操作履歴情報の集計結果を通信端末に送信する手段である。具体的には、集計部１７は集計しようとする音源識別番号を含む操作履歴情報を操作履歴記憶部１６から読み出して操作履歴情報を集計する。続いて、集計部１７は集計結果をメールなどの通知手段を用いて着信端末３に送信する。集計部１７はこのような集計処理を所定の時間間隔で（例えば一ヶ月毎に）実行する。例えば、集計部１７は図５に示すような集計結果を生成し、電話番号が「０９０−ｂｂｂｂ−ｂｂｂｂ」の端末に送信する。
【００３０】
なお、操作履歴情報の集計方法は図５に示すものに限定されず、例えば人数ではなく回数で示してもよい。また、集計部１７は、通信端末からの要求に基づいて集計処理を行って結果をその通信端末に送信してもよい。
【００３１】
次に、図６を用いて、図１に示す呼出音制御システム１の処理を説明するとともに本実施形態に係る呼出音再生方法について説明する。図６は呼出音制御システム１の処理を示すシーケンス図である。
【００３２】
発信端末２が着信端末３に対して発呼を行うと、着信端末３への問合せに関する一連の処理が実行される（ステップＳ０１）。すなわち、発信端末２からの接続要求を発側交換機４が受信して加入者情報サーバ６にルーティング情報を問合せ、加入者情報サーバ６が着側交換機５に着信端末３の位置を問い合わせる。着側交換機５は着信端末３に問合せを行ってその着信端末３から応答を受信し、着信端末の位置を加入者情報サーバ６に通知するための位置応答を加入者情報サーバ６に送信する。
【００３３】
加入者情報サーバ６は、その位置応答により着信端末３の応答を確認すると、発側交換機４がルーティング情報を問い合わせた際に取得した着信者番号を含む加入者情報を読み出すことで、その着信者番号に対応する音源識別番号を取得する（ステップＳ０２）。
【００３４】
また、これと併せて、着信端末３の呼出しに関する一連の処理が実行される（ステップＳ０３）。すなわち、加入者情報サーバ６が着信者番号に対応するルーティング情報を発側交換機４に払い出し、発側交換機４が着側交換機５に対して接続を要求し、着側交換機５がその要求に応答することで両交換機の間にパスが設定される。そして、着側交換機５が着信端末３に接続要求を送信することで着信端末３を呼び出す。着側交換機５は、更に、音源識別番号を含む接続要求を再生サーバ１０に送信する（ステップＳ０４）。
【００３５】
再生サーバ１０では、送出部１２がその接続要求を受信して着側交換機５に接続応答を送信する（ステップＳ０５）。これにより、再生サーバ１０と着側交換機５との間にパスが設定される（ステップＳ０６）。また、送出部１２は接続要求に含まれる音源識別番号に対応する音源情報を読み出す（ステップＳ０７）。送出部１２は、着信端末３から着側交換機５及び発側交換機４を経て発信端末２に呼出中信号が伝送される際に（ステップＳ０８）、読み出した音源情報に含まれる音声データを再生することで呼出音を発信端末２に送出する（ステップＳ０９、送出ステップ）。これにより、着信端末３のユーザが設定した呼出音が発信端末２から出力され、発信端末２のユーザ（発信者）はその呼出音に対する操作を実行できるようになる。
【００３６】
発信者の所定の操作により発信端末２から再生サーバ１０に指示信号（信号ＩＤ）が出力されると（ステップＳ１０）、受信部１４がその信号ＩＤを受信し（受信ステップ）、操作部１５がその信号ＩＤに基づいて操作情報を読み出す（ステップＳ１１、操作ステップ）。続いて、操作部１５が再生中の呼出音に対して操作情報に基づく操作を実行し（ステップＳ１２、操作ステップ）、送出部１２がその操作に基づいて呼出音を発信端末２に送出する（ステップＳ１３）。例えば、送出部１２は操作部１５の巻戻し操作に基づいて呼出音を巻き戻したり、操作部１５の終了操作に基づいて呼出音を通常のベル音に変更したりする。
【００３７】
その後、着信者が呼出しに応じると、着信端末３が着側交換機５に接続応答を送信し（ステップＳ１４）、着側交換機５が再生サーバ１０に切断要求を送信する（ステップＳ１５）。これにより、再生サーバ１０は呼出音の再生を終了する。発信者は、上記ステップＳ０９において呼出音が発信端末２から出力され始めてから、上記ステップＳ１５において呼出音の送出が終了するまでの時間Ｐにおいて、呼出音に対する様々な操作を行うことが可能である。
【００３８】
以上説明したように、本実施形態によれば、呼出音に対する操作の内容が予め記憶されており、呼出音を出力中の発信端末２から受信した指示信号（信号ＩＤ）に基づいて、再生中の呼出音に対する所定の操作が実行される。これにより、発信者は発信端末２から出力されている呼出音の操作（呼出音のスキップや早送り、巻戻しなど）を実行できる。
【００３９】
また、本実施形態では、呼出音に対する操作の履歴が操作履歴情報として記憶され、その操作履歴情報に基づく集計及び集計結果の出力が行われるので、発信端末２においてどのようにコンテンツデータが操作されたかを把握できる。本実施形態では、着信端末３のユーザが、自身が設定した呼出音に対する他人の反応を統計的に把握できる。
【００４０】
以上、本発明をその実施形態に基づいて詳細に説明した。しかし、本発明は上記実施形態に限定されるものではない。本発明は、その要旨を逸脱しない範囲で以下のような様々な変形が可能である。
【００４１】
上記実施形態では再生サーバ１０が集計部１７を備えていたが、呼出コンテンツ制御システムは操作履歴情報を集計する機能を実装しなくてもよい。また、上記実施形態では集計部１７が着信端末３に集計結果を送信したが、呼出音制御システム１の管理者の端末などに結果を送信してもよい。
【００４２】
上記実施形態では、コンテンツデータとして呼出音（音声データ）を扱ったが、呼出コンテンツ制御システムは音声を含まないコンテンツデータ（例えば静止画など）を制御してもよい。
【図面の簡単な説明】
【００４３】
【図１】実施形態に係る呼出音制御システムの機能構成を示す図である。
【図２】図１に示す再生サーバのハードウェア構成を示す図である。
【図３】音源情報の例を示す図である。
【図４】操作情報の例を示す図である。
【図５】操作履歴の集計例を示す図である。
【図６】図１に示す呼出音制御システムの処理を示すシーケンス図である。
【符号の説明】
【００４４】
１…呼出音制御システム、２…発信端末、３…着信端末、４…発側交換機、５…着側交換機、６…加入者情報サーバ、１０…再生サーバ、１１…音源情報記憶部、１２…送出部（送出手段）、１３…操作情報記憶部（操作情報記憶手段）、１４…受信部（受信手段）、１５…操作部（操作手段）、１６…操作履歴記憶部（操作履歴記憶手段）、１７…集計部（集計手段）。
【図１】
2009290327.tif 000003
【図２】
2009290327.tif 000004
【図３】
2009290327.tif 000005
【図４】
2009290327.tif 000006
【図５】
2009290327.tif 000007
【図６】
2009290327.tif 000008